【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】デジタルテレビ装置及びその制御方法、情報管理装置及び方法、記憶媒体並びにプログラム
【手続補正２】
【補正対象書類名】明細書
【補正対象項目名】特許請求の範囲
【補正方法】変更
【補正の内容】
【特許請求の範囲】
【請求項１】
情報管理装置との双方向通信が可能で、且つデジタル放送の受信及び表示が可能に構成されたデジタルテレビ装置において、
デジタル放送番組データとは異なる所定情報を蓄積する蓄積手段と、
前記蓄積手段により蓄積された所定情報を、前記デジタル放送番組データの表示と対応させて表示可能な表示手段と、
前記情報管理装置から送信される更新用の所定情報を受信する受信手段と、
前記受信手段により受信された更新用の所定情報に基づいて、前記蓄積手段により蓄積された所定情報を更新する情報更新手段とを備えたことを特徴とするデジタルテレビ装置。
【請求項２】
前記所定情報は、前記デジタル放送の番組中の広告とは別個の広告情報であることを特徴とする請求項１記載のデジタルテレビ装置。
【請求項３】
前記情報管理装置との双方向通信は、インターネットを通じて可能であることを特徴とする請求項１または２記載のデジタルテレビ装置。
【請求項４】
前記蓄積手段により蓄積された所定情報の状態は、インターネットを通じて前記情報管理装置により監視され得ることを特徴とする請求項３記載のデジタルテレビ装置。
【請求項５】
前記情報管理装置からの要求に応じて、前記蓄積手段により蓄積された所定情報の状態を示す属性情報を、前記情報管理装置に対して提供する属性情報提供手段を備えたことを特徴とする請求項１〜４のいずれか１項に記載のデジタルテレビ装置。
【請求項６】
前記属性情報は、前記所定情報の累積蓄積時間及び前記所定情報の表示履歴の少なくとも一方であることを特徴とする請求項５記載のデジタルテレビ装置。
【請求項７】
前記情報管理装置は前記デジタル放送を送信可能であり、前記蓄積手段により蓄積されるべき所定情報、及び前記受信手段による受信されるべき更新用の所定情報は、いずれも前記デジタル放送を使用して前記情報管理装置から送信されることを特徴とする請求項１〜６のいずれか１項に記載のデジタルテレビ装置。
【請求項８】
情報管理装置との双方向通信が可能で且つデジタル放送の受信及び表示が可能に構成されたデジタルテレビ装置の制御方法において、
デジタル放送番組データとは異なる所定情報を蓄積部に蓄積させる蓄積工程と、
前記蓄積工程により蓄積された所定情報を、前記デジタル放送番組データの表示と対応させて表示部に表示可能な表示工程と、
前記情報管理装置から送信される更新用の所定情報を受信する受信工程と、
前記受信工程により受信された更新用の所定情報に基づいて、前記蓄積工程により蓄積された所定情報を更新する情報更新工程とを有することを特徴とするデジタルテレビ装置の制御方法。
【請求項９】
請求項１〜７のいずれか１項に記載のデジタルテレビ装置との双方向通信が可能に構成された情報管理装置であって、
前記デジタルテレビ装置に前記所定情報を提供する所定情報提供手段と、
前記デジタルテレビ装置の前記蓄積手段により蓄積された所定情報の状態を監視する所定情報監視手段と、
前記所定情報監視手段による監視の結果、前記蓄積手段により蓄積された所定情報を更新すべきと判別された場合は、更新用の所定情報を前記デジタルテレビ装置に対して送信する更新用情報送信手段とを備えたことを特徴とする情報管理装置。
【請求項１０】
前記所定情報監視手段は、前記蓄積手段により蓄積された所定情報の状態を示す属性情報を要求するための制御情報を前記デジタルテレビ装置に対して送信し、該送信した制御情報に応答して前記デジタルテレビ装置から返信される属性情報に基づいて、前記蓄積された所定情報の更新の必要性を判別することを特徴とする請求項９記載の情報管理装置。
【請求項１１】
前記デジタルテレビ装置との双方向通信は、インターネットを通じて可能であり、前記制御情報の送信は、インターネットを通じてなされることを特徴とする請求項１０記載の情報管理装置。
【請求項１２】
デジタル放送の受信及び表示が可能に構成されたデジタルテレビ装置との双方向通信が可能な情報管理装置における情報管理方法であって、
前記デジタルテレビ装置に前記所定情報を提供する所定情報提供工程と、
前記デジタルテレビ装置に蓄積された所定情報の状態を監視する所定情報監視工程と、
前記所定情報監視工程による監視の結果、前記蓄積された所定情報を更新すべきと判別された場合は、更新用の所定情報を前記デジタルテレビ装置に対して送信する更新用情報送信工程とを有することを特徴とする情報管理方法。
【請求項１３】
情報管理装置との双方向通信が可能で且つデジタル放送の受信及び表示が可能に構成されたデジタルテレビ装置の制御方法で使用されるプログラムを記憶した記憶媒体において、
デジタル放送番組データとは異なる所定情報を蓄積部に蓄積させる蓄積工程のコードと、
前記蓄積工程のコードにより蓄積された所定情報を、前記デジタル放送番組データの表示と対応させて表示部に表示可能な表示工程のコードと、
前記情報管理装置から送信される更新用の所定情報を受信する受信工程のコードと、
前記受信工程のコードにより受信された更新用の所定情報に基づいて、前記蓄積工程のコードにより蓄積された所定情報を更新する情報更新工程のコードとを記憶したことを特徴とする記憶媒体。
【請求項１４】
デジタル放送の受信及び表示が可能に構成されたデジタルテレビ装置との双方向通信が可能な情報管理装置における情報管理方法で使用されるプログラムを記憶した記憶媒体であって、
前記デジタルテレビ装置に前記所定情報を提供する所定情報提供工程のコードと、
前記デジタルテレビ装置に蓄積された所定情報の状態を監視する所定情報監視工程のコードと、
前記所定情報監視工程のコードによる監視の結果、前記蓄積された所定情報を更新すべきと判別された場合は、更新用の所定情報を前記デジタルテレビ装置に対して送信する更新用情報送信工程のコードとを記憶したことを特徴とする記憶媒体。
【請求項１５】
情報管理装置との双方向通信が可能で且つデジタル放送の受信及び表示が可能に構成されたデジタルテレビ装置の制御方法で使用されコンピュータで実行可能なプログラムであって、
デジタル放送番組データとは異なる所定情報を蓄積部に蓄積させる蓄積工程のコードと、
前記蓄積工程のコードにより蓄積された所定情報を、前記デジタル放送番組データの表示と対応させて表示部に表示可能な表示工程のコードと、
前記情報管理装置から送信される更新用の所定情報を受信する受信工程のコードと、
前記受信工程のコードにより受信された更新用の所定情報に基づいて、前記蓄積工程のコードにより蓄積された所定情報を更新する情報更新工程のコードとが記述されたことを特徴とするプログラム。
【請求項１６】
デジタル放送の受信及び表示が可能に構成されたデジタルテレビ装置との双方向通信が可能な情報管理装置における情報管理方法で使用されコンピュータで実行可能なプログラムであって、
前記デジタルテレビ装置に前記所定情報を提供する所定情報提供工程のコードと、
前記デジタルテレビ装置に蓄積された所定情報の状態を監視する所定情報監視工程のコードと、
前記所定情報監視工程のコードによる監視の結果、前記蓄積された所定情報を更新すべきと判別された場合は、更新用の所定情報を前記デジタルテレビ装置に対して送信する更新用情報送信工程のコードとが記述されたことを特徴とするプログラム。
【手続補正３】
【補正対象書類名】明細書
【補正対象項目名】０００１
【補正方法】変更
【補正の内容】
【０００１】
【発明の属する技術の分野】
本発明は、デジタル放送番組を視聴する視聴者に対して、デジタル放送とは別の手段で広告情報等の有用な情報を提供するためのデジタルテレビ装置及びその制御方法、情報管理装置及び方法、記憶媒体並びにプログラムに関する。
【手続補正４】
【補正対象書類名】明細書
【補正対象項目名】０００６
【補正方法】変更
【補正の内容】
【０００６】
本発明は上記従来技術の問題を解決するためになされたものであり、その目的は、放送番組とは別個の情報を常に最新の状態で視聴者に提供し、効果的な情報提供を行うことができるデジタルテレビ装置及びその制御方法、情報管理装置及び方法、記憶媒体並びにプログラムを提供することにある。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
同じ目的を達成するために本発明の請求項８のデジタルテレビ装置の制御方法は、情報管理装置との双方向通信が可能で且つデジタル放送の受信及び表示が可能に構成されたデジタルテレビ装置の制御方法において、デジタル放送番組データとは異なる所定情報を蓄積部に蓄積させる蓄積工程と、前記蓄積工程により蓄積された所定情報を、前記デジタル放送番組データの表示と対応させて表示部に表示可能な表示工程と、前記情報管理装置から送信される更新用の所定情報を受信する受信工程と、前記受信工程により受信された更新用の所定情報に基づいて、前記蓄積工程により蓄積された所定情報を更新する情報更新工程とを有することを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
同じ目的を達成するために本発明の請求項９の情報管理装置は、請求項１〜７のいずれか１項に記載のデジタルテレビ装置との双方向通信が可能に構成された情報管理装置であって、前記デジタルテレビ装置に前記所定情報を提供する所定情報提供手段と、前記デジタルテレビ装置の前記蓄積手段により蓄積された所定情報の状態を監視する所定情報監視手段と、前記所定情報監視手段による監視の結果、前記蓄積手段により蓄積された所定情報を更新すべきと判別された場合は、更新用の所定情報を前記デジタルテレビ装置に対して送信する更新用情報送信手段とを備えたことを特徴とする。
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
同じ目的を達成するために本発明の請求項１２の情報管理方法は、デジタル放送の受信及び表示が可能に構成されたデジタルテレビ装置との双方向通信が可能な情報管理装置における情報管理方法であって、前記デジタルテレビ装置に前記所定情報を提供する所定情報提供工程と、前記デジタルテレビ装置に蓄積された所定情報の状態を監視する所定情報監視工程と、前記所定情報監視工程による監視の結果、前記蓄積された所定情報を更新すべきと判別された場合は、更新用の所定情報を前記デジタルテレビ装置に対して送信する更新用情報送信工程とを有することを特徴とする。
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】変更
【補正の内容】
【００４０】
同じ目的を達成するために本発明の請求項１３の記憶媒体は、情報管理装置との双方向通信が可能で且つデジタル放送の受信及び表示が可能に構成されたデジタルテレビ装置の制御方法で使用されるプログラムを記憶した記憶媒体において、デジタル放送番組データとは異なる所定情報を蓄積部に蓄積させる蓄積工程のコードと、前記蓄積工程のコードにより蓄積された所定情報を、前記デジタル放送番組データの表示と対応させて表示部に表示可能な表示工程のコードと、前記情報管理装置から送信される更新用の所定情報を受信する受信工程のコードと、前記受信工程のコードにより受信された更新用の所定情報に基づいて、前記蓄積工程のコードにより蓄積された所定情報を更新する情報更新工程のコードとを記憶したことを特徴とする。
【手続補正３３】
【補正対象書類名】明細書
【補正対象項目名】００４１
【補正方法】変更
【補正の内容】
【００４１】
同じ目的を達成するために本発明の請求項１４の記憶媒体は、デジタル放送の受信及び表示が可能に構成されたデジタルテレビ装置との双方向通信が可能な情報管理装置における情報管理方法で使用されるプログラムを記憶した記憶媒体であって、前記デジタルテレビ装置に前記所定情報を提供する所定情報提供工程のコードと、前記デジタルテレビ装置に蓄積された所定情報の状態を監視する所定情報監視工程のコードと、前記所定情報監視工程のコードによる監視の結果、前記蓄積された所定情報を更新すべきと判別された場合は、更新用の所定情報を前記デジタルテレビ装置に対して送信する更新用情報送信工程のコードとを記憶したことを特徴とする。
【手続補正３４】
【補正対象書類名】明細書
【補正対象項目名】００４２
【補正方法】変更
【補正の内容】
【００４２】
同じ目的を達成するために本発明の請求項１５のプログラムは、情報管理装置との双方向通信が可能で且つデジタル放送の受信及び表示が可能に構成されたデジタルテレビ装置の制御方法で使用されコンピュータで実行可能なプログラムであって、デジタル放送番組データとは異なる所定情報を蓄積部に蓄積させる蓄積工程のコードと、前記蓄積工程のコードにより蓄積された所定情報を、前記デジタル放送番組データの表示と対応させて表示部に表示可能な表示工程のコードと、前記情報管理装置から送信される更新用の所定情報を受信する受信工程のコードと、前記受信工程のコードにより受信された更新用の所定情報に基づいて、前記蓄積工程のコードにより蓄積された所定情報を更新する情報更新工程のコードとが記述されたことを特徴とする。
【手続補正３５】
【補正対象書類名】明細書
【補正対象項目名】００４３
【補正方法】変更
【補正の内容】
【００４３】
同じ目的を達成するために本発明の請求項１６のプログラムは、デジタル放送の受信及び表示が可能に構成されたデジタルテレビ装置との双方向通信が可能な情報管理装置における情報管理方法で使用されコンピュータで実行可能なプログラムであって、前記デジタルテレビ装置に前記所定情報を提供する所定情報提供工程のコードと、前記デジタルテレビ装置に蓄積された所定情報の状態を監視する所定情報監視工程のコードと、前記所定情報監視工程のコードによる監視の結果、前記蓄積された所定情報を更新すべきと判別された場合は、更新用の所定情報を前記デジタルテレビ装置に対して送信する更新用情報送信工程のコードとが記述されたことを特徴とする。